(57)【要約】【課題】実際の表示エリアがページ全体のどこに位置するかを分かり易く表示することができる携帯端末装置での表示方法を提供する。【解決手段】携帯端末装置の画面に文字、記号または画像を含むページ単位の情報を表示する場合に、この画面に、ページ単位の情報のページに占める一部を表示領域３０として表示するとともに、ページ４１の中に表示領域４２の位置を描いた表示領域位置表示図形を重ねて表示し、表示領域３０のスクロールに合わせて、表示領域位置表示図形に描いた表示領域４２の位置を移動する。この表示領域位置表示図形により、実際の表示エリア３０がページ全体のどこに位置するかを容易に理解することができる。この表示領域位置表示図形は、表示エリア３０の文字や図形に重ねて表示されるため、ページを表示する画面上の表示領域は、実質的に狭くならない。【選択図】図４
2006318210.tif 000002
【特許請求の範囲】
【請求項１】
ページ単位の情報を記憶する記憶部と、
前記ページ単位の情報のページに占める一部を表示エリアとして表示する表示部と、
前記表示部に表示された前記表示エリアの移動を操作する操作部と、
前記表示部に、前記操作部の操作に応じた移動先の表示エリアと、前記ページ内における移動先の前記表示エリアの位置を示す表示エリア位置表示体とを重ねて表示させる制御部と、を備える携帯端末装置。
【請求項２】
請求項１に記載の携帯端末装置であって、
前記操作部から前記表示エリア位置表示体を非表示とする操作が行われたとき、前記制御部が、前記表示部に、前記表示エリア位置表示体の表示を停止させる、携帯端末装置。
【請求項３】
請求項１または２に記載の携帯端末装置であって、
前記操作部が、方向キーとテンキーとからなり、前記制御部は、前記表示部に対し、前記方向キーが操作されたときと前記テンキーが操作されたときとで、移動幅を違えて前記表示エリアの移動を指示する、携帯端末装置。
【請求項４】
請求項１または２に記載の携帯端末装置であって、
前記表示エリアが前記ページの右端に位置しているとき、前記操作部の右方向への移動操作に応じて、前記制御部が、前記表示エリアを前記ページの左端に移動するように前記表示部に指示する、携帯端末装置。
【請求項５】
請求項１ないし４のいずれか１項に記載の携帯端末装置であって、
前記表示エリアの移動後に、前記制御部が、前記表示部に対し、移動後の前記表示エリアに、移動前の前記表示エリアの位置を表すマークを一定時間表示させる、携帯端末装置。
【請求項６】
請求項１ないし５のいずれか１項に記載の携帯端末装置であって、
前記表示エリア位置表示体は、前記表示エリアの輪郭を示す表示エリア枠線を含む、携帯端末装置。
【請求項７】
携帯端末装置の画面にページ単位の情報を表示する表示方法であって、
前記画面に、前記ページ単位の情報のページに占める一部を表示エリアとして表示するステップと、
前記ページの中における前記表示エリアの位置を示す表示エリア位置表示体を、前記表示エリアに重ねて表示するステップと、
前記ページ内における前記表示エリアの移動に合わせて、前記表示エリアに上に示した前記表示エリア表自体の位置を移動するステップと、を備える表示方法。
【請求項８】
請求項７に記載の表示方法であって、
前記表示エリアが前記ページの右端から左端に直接移動するように表示する表示方法。
【請求項９】
請求項７または８に記載の表示方法であって、
前記表示エリアの移動後に、移動前の前記表示エリアの位置を表すマークを、移動後の前記表示エリアに一定時間表示する表示方法。
【発明の詳細な説明】
【技術分野】
【０００１】
本発明は、Ｗｅｂページ等を表示する携帯端末装置とその表示方法に関し、特に、見易い表示を可能にするものである。
【背景技術】
【０００２】
最近の携帯電話は、縦長に編集された携帯電話専用のホームページだけで無く、パソコン用のページをそのまま表示することができる。しかし、携帯電話の表示画面は小さいため、例えば、Ｗｅｂページの全体が図１３（ａ）で表されるとき、図１３（ｂ）のように、携帯電話の表示画面にＷｅｂページ１０の全体を表示すると、文字や図形が小さくなって見難くなる。そこで、そのページ１０の中から表示を希望する表示エリア１１を選択して、図１３（ｃ）のように拡大表示し、その表示エリア１１を画面上でスクロールしながら閲覧する方法が採られている。
【０００３】
ただ、こうした方法では、現在閲覧している表示エリアがページのどの辺であるのかが分かりにくい。
【０００４】
下記特許文献１には、こうした不便を解消するため、図１４に示すように、携帯電話の表示画面に左右スクロールバー１２と上下スクロールバー１４とを表示し、このバー上のスクロールボックス１３、１５によりページ中の表示エリアを示す方法が提案されている。この左右スクロールバー１２の長さは、ページの左右方向の全長を示しており、スクロールボックス１３の長さは、ページの左右方向の全長に対する表示エリア１１の左右方向の相対的な長さを表している。同様に、上下スクロールバー１４の長さは、ページの上下方向の全長を示し、スクロールボックス１５の長さは、ページの上下方向の全長に対する表示エリア１１の上下方向の相対的な長さを表している。
【０００５】
携帯電話の方向キーやテンキーを操作して表示エリア１１を移動すると、スクロールボックス１３、１５は、その表示エリア１１の移動に応じて、左右スクロールバー１２及び上下スクロールバー１４の上を移動する。
【０００６】
【特許文献１】特開２００４−２５８９９０号公報
【発明の開示】
【発明が解決しようとする課題】
【０００７】
しかし、スクロールバーを用いて表示エリアを表す従来の方法では、携帯電話の狭い表示画面にスクロールバーの表示領域を確保しなければならないため、Ｗｅｂページの表示に使用できる画面領域が、さらに狭くなる。
【０００８】
また、ユーザは、双方のスクロールボックス１３、１５の位置を組み合わせて表示エリアを想定しなければならないため、ページに占める表示エリアの位置を正確に認識することが難しい。
【０００９】
本発明は、こうした状況に鑑みてなされたものであり、実際の表示エリアがページ全体のどこに位置するかを分かり易く表示することができる携帯端末装置を提供し、また、その表示方法を提供することを目的としている。
【課題を解決するための手段】
【００１０】
本発明の携帯端末装置は、ページ単位の情報を記憶する記憶部と、前記ページ単位の情報のページに占める一部を表示エリアとして表示する表示部と、前記表示部に表示された前記表示エリアの移動を操作する操作部と、前記表示部に、前記操作部の操作に応じた移動先の表示エリアと、前記ページ内における移動先の前記表示エリアの位置を示す表示エリア位置表示体とを重ねて表示させる制御部と、を備えている。
【００１１】
この装置では、表示エリアの文字や画像に重ねて、ページに占める表示エリアの相対位置を示す表示（表示エリア位置表示体）が表示される。
【００１２】
また、本発明の携帯端末装置は、操作部から表示エリア位置表示体を非表示とする操作が行われたとき、制御部が、表示部に、表示エリア位置表示体の表示を停止させる。
【００１３】
この装置では、表示エリア位置表示体の表示・非表示を切り替えることができる。
【００１４】
また、本発明の携帯端末装置は、操作部が、方向キーとテンキーとから成り、制御部は、表示部に対し、方向キーが操作されたときとテンキーが操作されたときとで、移動幅を違えて表示エリアの移動を指示する。
【００１５】
例えば、方向キーの操作で表示エリアの連続的なスクロールが行われ、テンキーの操作で表示エリアの１画面分のスクロールが行われる。
【００１６】
また、本発明の携帯端末装置は、表示エリアがページの右端に位置しているとき、操作部の右方向への移動操作に応じて、制御部が、表示エリアをページの左端に移動するように表示部に指示する。
【００１７】
そのため、表示エリアは、ページの右端から左端に直接移動する。
【００１８】
また、本発明の携帯端末装置は、表示エリアの移動後に、制御部が、表示部に対し、移動後の表示エリアに、移動前の表示エリアの位置を表すマークを一定時間表示させる。
【００１９】
このマークにより、どこまで読んだかが分かる。
【００２０】
また、本発明の表示方法は、携帯端末装置の画面にページ単位の情報を表示する表示方法であって、前記画面に、前記ページ単位の情報のページに占める一部を表示エリアとして表示するステップと、前記ページの中における前記表示エリアの位置を示す表示エリア位置表示体を、前記表示エリアに重ねて表示するステップと、前記ページ内における前記表示エリアの移動に合わせて、前記表示エリアに上に示した前記表示エリア表自体の位置を移動するステップとを備える。
【００２１】
この表示エリア位置表示体により、ページに占める表示エリアの相対位置が分かる。
【００２２】
また、本発明の表示方法では、表示エリアがページの右端から左端に直接移動する。
【００２３】
これは横書きの文書の改行先を追う動きに類似しているから、横書きの文書をスクロールしながら読むときに都合が良い。
【００２４】
また、本発明の表示方法では、表示エリアの移動後に、移動前の表示エリアの位置を表すマークを、移動後の表示エリアに一定時間表示する。
【００２５】
このマークにより、スクロール前に、どこまで読んだかが分かる。
【発明の効果】
【００２６】
本発明の携帯端末装置及び表示方法では、表示エリア位置表示体から、実際の表示エリアがページ全体のどこに位置するかを容易に理解することができる。また、この表示エリア位置表示体は、表示エリアの文字や図形に重ねて表示されるため、Ｗｅｂページを表示する画面上の表示領域は、実質的に狭くならない。
【発明を実施するための最良の形態】
【００２７】
図１は、本発明の実施形態における携帯電話の構成を示すブロック図、及び、この携帯電話の斜視図である。
【００２８】
この装置は、通信部２３と、鳴動部２４と、表示部２２と、方向キー部２１１及びテンキー部２１２から成る操作部２１と、携帯電話の動作を制御する制御部２５と、情報を記憶する情報記憶部２０とを備えている。通信部２３は、外部の基地局との無線通信を行うアンテナや無線回路等を備える。鳴動部２４は着信音を発するブザーや振動にて着信を知らせるバイブレータ等から構成される。表示部２２は一般的には液晶ディスプレイより構成され文字や画像を表示する。操作部２１は方向キー部２１１やテンキー部２１２等を備え、携帯電話のユーザが所望の操作を入力する。制御部２５、情報記憶部２０はＣＰＵ、ＲＯＭ、ＲＡＭ等の所定の半導体プロセッサより構成されている。
【００２９】
情報記憶部２０は、ソフトウェアメモリ部２０３と、画面情報記憶部２０２と、操作機能設定記憶部２０１とから成る。
【００３０】
ソフトウェアメモリ部２０３には、通話機能、メール機能、インターネットのホームページを閲覧するためのブラウザ機能等の各種ソフトウェアが記憶され、また、後述する“ページに占める表示エリアの相対位置表示”の演算に使用する演算プログラムが記憶されている。
【００３１】
画面情報記憶部２０２には、通信部２３を通じて取得したＷｅｂページの情報が記憶される。
【００３２】
また、操作機能設定記憶部２０１には、方向キー部２１１の方向キーや、テンキー部２１２のテンキーに対して、各種ソフトウェアのそれぞれに応じたコマンドを割り当てるためのテーブルが記憶されている。
【００３３】
図２は、ブラウザの起動時に、方向キー及びテンキーに割り当てるコマンドが記述されたテーブルを示している。このテーブルは操作機能設定記憶部２０１に記憶される。また、図３は、方向キー又はテンキーの操作とコマンドの対応関係を表示ページ１０上にて表現したものである。方向キー又はテンキーの操作及び対応するテーブル内のコマンドに応じて、表示ページ１０内の現在表示位置に対応する表示エリア３０が移動する。
【００３４】
例えば、方向キーの上側を押すと、テーブルのコマンド中、「表示領域の上方向へ  スクロール」が選択される。すると、図３に示すように、方向キーの押されている間、表示エリア３０をページ１０の上方向へ連続的に（通常のスクロール動作単位で）移動させる（連続スクロール）コマンドが発せられる。テンキーの２を押した場合は、表示エリア３０を上方向へ表示エリア３０の大きさ分、瞬時に移動させる（一画面スクロール）コマンドが発せられる。
【００３５】
また、テンキーの“＊”を押すと、“ページに占める表示エリアの相対位置表示”が画面に表示され、もう一度押すと非表示に切り替わる。
【００３６】
図４は、この携帯電話の表示画面に表示される“ページに占める表示エリアの相対位置表示”（以下、「表示エリア位置表示」と言う。）を示している。この表示エリア位置表示は、ページ全体の縮小形状を示す点線状の枠線（ページ形状枠線）４１と、そのページに占める現在の表示エリア３０の相対位置を示す、表示エリア位置表示体としての点線状の枠線（表示エリア枠線）４２とで構成され、Ｗｅｂページの一部を拡大表示する表示エリア３０の表示に重ねて表示される。従って、ページ形状枠線４１と表示エリア枠線４２の大きさの割合は、実際のページ全体の大きさと現在の表示エリアの大きさの割合に等しい。表示エリア枠線４２は、現在の表示エリア３０の輪郭に対応し、図５に示すように、表示エリアをスクロールした場合、それに伴って、ページ形状枠線４１の中を移動する。
【００３７】
ページ形状枠線４１は、図６に示すように、Ｗｅｂページが縦長の場合、携帯電話の画面上に縦長に表示され（図６（ａ））、Ｗｅｂページが横長の場合、携帯電話の画面上に横長に表示される（図６（ｂ））。
【００３８】
また、テンキーの“＃”を押すと、図７に示す、スクロール及び表示エリア位置表示の設定画面が表示される。この設定画面から、連続スクロール及び一画面スクロールを、方向キーまたはテンキーのいずれで操作するかを設定することができる。図示の例では、上述したように、「方向キー  通常」の設定を選択することにより方向キーを用いた連続スクロールが可能となり、「テンキー  一画面」の設定を選択することによりテンキーを用いた一画面スクロールが可能となる。また、表示エリア位置表示におけるページ形状枠線の表示倍率及び表示位置を設定することができる。
【００３９】
図８（ａ）は、ページ形状枠線４１の表示倍率を１００％、表示位置を左上方に設定したときの表示エリア位置表示を示しており、また、図８（ｂ）は、ページ形状枠線４１の表示倍率を５０％、表示位置を右下方に設定したときの表示エリア位置表示を示している。
【００４０】
次に、この携帯電話の動作について説明する。
【００４１】
ユーザは、この携帯電話でインターネットのホームページを閲覧する場合に、操作部２１から所定の操作を行う。通信部２３を通じて受信したＷｅｂページは画面情報記憶部２０２に記憶され、制御部２５は、ソフトウェアメモリ部２０３に格納されたブラウザを起動して、受信したＷｅｂページを表示部２２に表示させる。
【００４２】
このとき、制御部２５は、Ｗｅｂページの予め設定された領域（例えば、左上箇所）を表示エリアに設定して、表示部２２に対し、表示エリアのページ部分を拡大表示するように指示し、それとともに、演算プログラムで演算したページ形状枠線４１及び表示エリア枠線４２を、予め設定された表示位置に、予め設定された表示倍率で重ねて表示するように指示する。
【００４３】
ユーザがテンキー２１１の“＃”を押し、図７の設定画面を表示してページ形状枠線の表示倍率や表示位置の設定を更新すると、制御部２５は、更新後のページ形状枠線４１及び表示エリア枠線４２の位置を演算プログラムで演算し、表示部２２に対して、新たな位置にページ形状枠線４１及び表示エリア枠線４２を表示させる。
【００４４】
また、ユーザが０〜９のテンキー２１１や方向キー２１２を押すと、制御部２５は、図２のテーブルから操作キーに対応するコマンドを読み出して表示部２２に出力し、表示部２２は、そのコマンドに従って、表示エリアを指定された方向に、連続スクロールまたは一画面スクロールする。また、制御部２５は、そのスクロールに伴う表示エリア枠線４２の位置変化を演算プログラムで演算し、表示部２２に対し、演算結果に基づいて表示エリア枠線４２を新たな位置に表示させる。
【００４５】
また、ユーザがテンキー２１１の“＊”を押し、表示エリア位置表示の非表示を選択すると、制御部２５は、表示部２２に対し、ページ形状枠線４１及び表示エリア枠線４２の表示を停止させる。
【００４６】
このように、この携帯電話では、表示エリア位置表示により、Ｗｅｂページとそのページに占める表示エリアとの位置関係を直接表示しているため、ユーザは、現在の表示エリアがページ全体のどこに位置するかを容易に理解することができる。
【００４７】
また、表示エリア位置表示は、表示エリアの文字や図形に重ねて表示されるため、Ｗｅｂページの表示領域は、実質的に狭くならない。
【００４８】
なお、ここでは、ページ形状枠線及び表示エリア枠線を点線で表示する場合について説明したが、表示エリア位置表示は、表示エリアの文字や図形が読み取りにくくならなければ良いのであって、例えば、各枠線内を異なる薄い色で着色しても良い。
【００４９】
また、ここでは、図２のテーブルで、図３のスクロール方向を規定する場合について説明したが、図９に示すように、表示エリア３０がページ１０の右端に達したときに用いるテーブルとして、ページ１０の左端への直接移動を規定するテーブルを持つようにしても良い。
【００５０】
この場合、表示エリア３０がページ１０の右端に達した状態で、方向キーの右側を押すと、表示エリア３０が、上下方向の位置は変わらずに、ページ１０の左端に移り、そこから右方向に向けて連続スクロールを開始する。また、テンキーの６を押すと、上下方向の位置は変わらずに、ページ１０の左端に一画面スクロールする。また、方向キーの右下側を押すと、表示エリア３０が、上下方向に表示エリア３０の大きさ分だけ一段下がったページ１０の左端に移り、そこから右下方向に向けて連続スクロールを開始する。また、テンキーの９を押すと、上下方向に表示エリア３０の大きさ分だけ一段下がったページ１０の左端に一画面スクロールする。
【００５１】
そのため、ユーザは、表示エリア３０をページ１０の左端から右端に簡単に移すことができる。こうした表示エリア３０の大幅な移動は、その移動先が分からなくなると、ユーザを戸惑わせるが、この実施形態の携帯電話では、表示エリア位置表示により、表示エリア３０の現在位置が分かり易く表示されるため、ユーザに戸惑いは生じない。
【００５２】
また、図１０に示すように、表示エリア３０がページ１０の右端に達したとき、上下方向に一段下がったページ１０の左端への直接移動だけを許容するようにテーブルを規定しても良い。この場合、表示エリア３０がページ１０の右端に達した状態で、方向キーの右側を押すと、表示エリア３０が、上下方向に表示エリア３０の大きさ分だけ一段下がったページ１０の左端に移り、そこから右方向に向けて連続スクロールを開始する。また、テンキーの６を押すと、上下方向に表示エリア３０の大きさ分だけ一段下がったページ１０の左端に一画面スクロールする。
【００５３】
図１１は、この場合の表示エリア３０のページ１０上における移動先を示している。この表示エリア３０の移動は、横書きの文書の改行先を追う動きであるから、横書きの文書をスクロールしながら読むときに都合が良い。
【００５４】
また、表示エリアをスクロールしながら、表示された文面を読んで行くと、表示エリアを移動したときに、どこまで読んだか忘れてしまう場合がある。そうした事態を防ぐために、図１２に示すように、表示エリア４２を図１２（ａ）の位置から図１２（ｂ）の位置に移動した場合、移動前の表示エリア４２の位置を画面情報記憶部２０２で記憶して、図１２（ｃ）に示すように、スクロール前の表示位置を表すマーク４３を数秒間表示するようにしても良い。
【００５５】
以上、本発明の各種実施形態を説明したが、本発明は前記実施形態において示された事項に限定されず、明細書の記載、並びに周知の技術に基づいて、当業者がその変更・応用することも本発明の予定するところであり、保護を求める範囲に含まれる。
【産業上の利用可能性】
【００５６】
本発明は、小さい画面で情報を閲覧する際の利便性を高めることができるものであり、携帯電話機やＰＤＡ（Personal Digital Assistants）等の携帯端末装置に広く適用することができる。
【図面の簡単な説明】
【００５７】
【図１】本発明の実施形態における携帯電話の構成を示すブロック図及び斜視図
【図２】本発明の実施形態における携帯電話が保持するテーブル
【図３】本発明の実施形態における携帯電話の方向キー及びテンキーと表示エリアのスクロール方向との関係を示す図
【図４】本発明の実施形態における携帯電話の第１の表示画面を示す図
【図５】本発明の実施形態における携帯電話の第２の表示画面を示す図
【図６】本発明の実施形態における携帯電話の表示エリア位置表示の位置を示す図
【図７】本発明の実施形態における携帯電話の設定画面を示す図
【図８】本発明の実施形態における携帯電話の表示エリア位置表示の表示位置の設定を変えた場合（ａ）と、表示倍率の設定を変えた場合（ｂ）を示す図
【図９】本発明の実施形態における携帯電話の表示エリアがページの右端に位置したときの方向キー及びテンキーと表示エリアのスクロール方向との関係を示す図
【図１０】本発明の実施形態における携帯電話の表示エリアがページの右端に位置したときの方向キー及びテンキーと表示エリアの限定したスクロール方向との関係を示す図
【図１１】本発明の実施形態における携帯電話の表示エリアの移動先を示す図
【図１２】本発明の実施形態における携帯電話のスクロール前の位置を示すマークの説明図
【図１３】従来の携帯電話の表示画面での表示を説明する図
【図１４】従来の携帯電話での表示エリアの相対位置表示方法を説明する図
【符号の説明】
【００５８】
１０    ページ
１１    表示エリア
１２    左右スクロールバー
１３    スクロールボックス
１４    上下スクロールバー
１５    スクロールボックス
２０    情報記憶部
２１    操作部
２２    表示部
２３    通信部
２４    鳴動部
２５    制御部
３０    表示エリア
４１    ページ形状枠線
４２    表示エリア枠線
４３    スクロール前位置表示マーク
２０１  操作機能設定記憶部
２０２  画面情報記憶部
２０３  ソフトウェアメモリ部
２１１  方向キー部
２１２  テンキー部
【図１】
2006318210.tif 000003
【図２】
2006318210.tif 000004
【図３】
2006318210.tif 000005
【図４】
2006318210.tif 000006
【図５】
2006318210.tif 000007
【図６】
2006318210.tif 000008
【図７】
2006318210.tif 000009
【図８】
2006318210.tif 000010
【図９】
2006318210.tif 000011
【図１０】
2006318210.tif 000012
【図１１】
2006318210.tif 000013
【図１２】
2006318210.tif 000014
【図１３】
2006318210.tif 000015
【図１４】
2006318210.tif 000016